(57)【特許請求の範囲】
【請求項１】
水晶体嚢（２）内に配置するため、かつ眼の水晶体本体（３）を交換するための水晶体インプラントであって、天然の水晶体本体（３）の形状と大きさを遠位表面（１２ａ）および近位表面（１２ｂ）とともに有しており、遠位表面（１２ａ）は近位表面（１２ｂ）よりも強度の曲率を有し、当該水晶体インプラントは、当該近位表面を形成しかつ弾性的な変形可能状態に眼球内で硬化可能である流動可能な物質からなる第１の可変性部分（１０）と、当該遠位表面を形成しかつ第１の部分（１０）とは異なる屈折率および／または弾性的可変性を有する第２の部分（１１）と、からなり、当該第１の部分（１０）は水晶体インプラントの近位部分を形成し、当該第２の部分（１１）は水晶体インプラントの遠位部分を形成し、当該第１の部分（１０）の直径は当該第２の部分（１１）の直径を超える水晶体インプラント。
【請求項２】
第２の部分が第１の部分（１０）の屈折率とは異なる屈折率を有することを特徴とする請求項１記載の水晶体インプラント。
【請求項３】
第１の部分（１０）および第２の部分（１１）が互いに接していることを特徴とする請求項１または２に記載の水晶体インプラント。
【請求項４】
巻き上げた状態または折りたたんだ状態で水晶体嚢中に導入するために第２の部分（１１）が弾性的な変形可能なものであることを特徴とする請求項１〜３のいずれかに記載の水晶体インプラント。
【請求項５】
水晶体が第１の部分（１０）および第２の部分（１１）から構成されることを特徴とする請求項１〜４のいずれかに記載の水晶体インプラント。
【請求項６】
第２の部分（１１）の遠位側が、水晶体インプラントの凸状遠位表面（１２ａ）を形成するために弛緩状態で曲がっていることを特徴とする請求項１〜５のいずれかに記載の水晶体インプラント。
【請求項７】
第１の部分（１０）が架橋されたポリシロキサン類、ヒドロゲル類およびコラーゲン調製物から構成される群から選択された物質を少なくとも含むことを特徴とする請求項１〜６のいずれかに記載の水晶体インプラント。
【請求項８】
第１の部分が第２の部分よりもより変形可能であることを特徴とする請求項１〜７のいずれかに記載の水晶体インプラント。
【請求項９】
第１の部分がゲルであることを特徴とする請求項１〜８のいずれかに記載の水晶体インプラント。
【請求項１０】
第２の部分が充填材料（１１ｂ）で満たされたバッグ（１１ａ）からなることを特徴とする請求項１〜９のいずれかに記載の水晶体インプラント。
【請求項１１】
水晶体嚢（２）内に配置するため、かつ眼の水晶体本体（３）を交換するための水晶体インプラントであって、天然の水晶体本体（３）の形状と大きさを遠位表面（１２ａ）および近位表面（１２ｂ）とともに有しており、遠位表面（１２ａ）は近位表面（１２ｂ）よりも強度の曲率を有し、近位表面が８．４〜１３．８ｍｍの間の曲率半径を有する凸状であること、遠位表面が４．６〜７．５ｍｍの間の曲率半径を有する凸状であること、および水晶体インプラントが２．８〜５．５ｍｍの間の厚さを有し、当該水晶体インプラントは、当該近位表面を形成しかつ弾性的な変形可能状態に眼球内で硬化可能である流動可能な物質からなる第１の可変性部分（１０）と、当該遠位表面を形成し充填材料（１１ｂ）で満たされたバッグ（１１ａ）で形成され第１の部分（１０）とは異なる屈折率および／または弾性的可変性を有する第２の部分（１１）と、からなり、当該第１の部分（１０）は水晶体インプラントの近位部分を形成し、当該第２の部分（１１）は水晶体インプラントの遠位部分を形成する水晶体インプラント。
【請求項１２】
近位表面が８．４〜１３．８ｍｍの間の曲率半径を有する凸状であること、遠位表面が４．６〜７．５ｍｍの間の曲率半径を有する凸状であること、および水晶体インプラントが２．８〜５．５ｍｍの間の厚さを有することを特徴とする請求項１〜１０のいずれかに記載の水晶体インプラント。
【請求項１３】
水晶体インプラントが天然の水晶体本体の大きさと形状を実質的に有するような方法で当該水晶体インプラントの大きさと形状としたことを特徴とする請求項１〜１２のいずれかに記載の水晶体インプラント。
【請求項１４】
第１の部分（１０）が第２の部分（１１）の容積を超える容積を有していることを特徴とする請求項１〜１３のいずれかに記載の水晶体インプラント。
【請求項１５】
第１の部分（１０）を形成するための少なくとも１個の流動可能な充填材料および第２の部分（１１）を形成するための複数の予め成形された水晶体部分により特徴づけられ、当該水晶体部分は、異なる形状および／または屈折率を有することを特徴とする請求項１〜１４のいずれかに記載の水晶体インプラントを製造するためのキット。
【請求項１６】
水晶体部分が異なる屈折率を有することを特徴とする請求項１５記載のキット。
【請求項１７】
充填材料が、流動可能状態から弾性的な変形可能状態に硬化可能であることを特徴とする請求項１５または１６のいずれかに記載のキット。
【請求項１８】
水晶体部分の少なくとも一部が予め成形され、充填可能なバッグ（１１ａ）から構成されることを特徴とする請求項１５〜１７のいずれかに記載のキット。
【発明の詳細な説明】
（関連出願に対する引用）
本出願は、２０００年２月３日出願のスイス特許出願第０２１２／００の優先権を主張しており、その全内容を本文で参考として引用している。
【０００１】
（技術分野）
本発明は、独立請求項に適合する水晶体インプラントおよび水晶体インプラントを製造するためのキット並びに方法に関する。
【０００２】
（背景技術）
この種の水晶体インプラントは、たとえば、米国特許４，６０８，０５０号またはＷＯ  ８９／０００２９号により公知である。それは、眼の水晶体本体に取って代わる可撓性本体から構成されている。水晶体インプラントの形状および大きさは、典型的水晶体本体のそれと実質的に対応している。その可撓性のゆえに、眼の良好な適応を可能とする。
この水晶体インプラントを眼のそれぞれの要求に対して調節するため、様々な異なる屈折率を有する複数のインプラント体が入手可能でなければならない。これは、多額の出費を必要とする。さらに、インプラント体は限定された様式でのみ安定性と同時に適応性に関する要件を満たさなければならないことがわかっている。
フランス特許２，６９８，２６４号は、充填物が配置された２個の部分的水晶体から構成された水晶体について記載している。この部分的水晶体は、水晶体の外側形状を形成し、水晶体嚢と置換する。このため、当該水晶体を眼の適応機構に接続することが困難となっている。さらに、当該水晶体の機械的性能は天然の水晶体（natuerlichen Linse）の性能と非常に異なっており、このことが前記適応をさらに困難としている。
米国特許５，２７５，６２３号に、２個の水晶体を有するバッグで構成された水晶体インプラントが開示されている。このバッグには、気体または液体が充填されている。しかし、その対称性のゆえに、この水晶体は天然の水晶体の特性とは必然的に異なる特性を示すので、それは、実際に満足できるものではない。
【０００３】
（発明の開示）
したがって、これらの欠点を回避する上述の種類の水晶体インプラント、およびキット並びに方法をそれぞれ提供することが目的である。
この目的は、独立請求項に適合する水晶体、キットおよび方法によって満たされる。
本発明による水晶体インプラントは、第１の変形可能部分と第２の部分から構成されており、これら２つの部分は、異なる屈折率および／または異なる弾性的変形能を有している。第１の部分は、水晶体インプラントの近位部分を形成し、第２の部分は、水晶体インプラントの遠位部分を形成する。
したがって、当該インプラントは異なる２つの部分を一体化することができ、これらは焦点距離および／または機械的特性を簡単な方法でそれぞれの要求に適合するように調節できる。したがって、第１の部分は、たとえば、基本的にそれぞれ水晶体の大きさおよび容積を規定し、確実に適応できるようにし、一方、第２の部分を選択することによって、焦点距離および／または遠位形状を設定することができる。
【０００４】
前記インプラントは、本質的に、交換される水晶体本体の形状を有し、その結果、それは水晶体嚢に適合し、かつそれを適切に満たす。この目的のため、インプラントの遠位表面は、近位表面よりもより強度の曲率を有すべきである。
前記第１の部分は、好適には眼球内で流動可能な状態から弾性的で変形可能な状態まで硬化可能で、その結果、交換された水晶体の形状に簡単に適合するようにできる物質から構成される。
良好な適合能のため、前記第１の部分は第２の部分よりもより弾性的で変形可能であるべきで、特にもし後者が水晶体インプラントの遠位表面を規定するならば、より良好に弾性的に変形すべきである。
前記第２の部分は、巻き上げた状態または折りたたんだ状態で水晶体嚢に導入するのに適するように弾性的で変形可能に設計できる。前記第１の部分は、この場合、水晶体嚢に充填するために使用できるので、硬化可能な第１の部分と併用する際にこのことは特に有益であり、適合能を保証し、一方、水晶体インプラントの焦点距離は、前記第２の部分によって付与される。
好適には、第２の部分は水晶体インプラントの遠位部分を形成し、その結果、それは、第１の部分を水晶体嚢の遠位部分から分離する壁を形成する。これにより、必要に応じて水晶体嚢の遠位部分がもしも不透明になったならば、それを除去できる。
【０００５】
このような水晶体製造のためのキットには、好適には、少なくとも１個の流動可能な充填材料および第２の部分形成のための複数の予め成形された水晶体部分が含まれる。当該水晶体部分は、種々の異なる形状および／または屈折率を所有している。したがって、種々の異なる焦点距離および形状を有する複数の水晶体インプラントを僅か１つの充填材料で製造することが可能である。
本発明のさらなる態様、有益性および適用は、従属請求項および図面を参照にした以下の記載から理解されよう。
【０００６】
（発明を実施するための最良の形態）
本明細書において最も重要なものである眼の部分を図１に示したが、それは、水晶体嚢２および水晶体本体３から構成される水晶体１、虹彩４および角膜５を含む。
水晶体１は、曲率がミュラー筋６の収縮に応じて変化する弾性体であり、種々の焦点距離に対する眼の適応を可能とする。しかし、年齢が進むにつれ、この水晶体本体３が硬化し、適応性が部分的または完全に喪失することになる。
本発明は、眼の水晶体本体３と交換される水晶体インプラントに関する。このような水晶体を図２に示した。これは２個の透明な部分１０と１１から構成され、互いに接しており、無限に適応していた、交換された水晶体本体３とほぼ同一の大きさおよび形状をともに有する。したがって、水晶体インプラントの遠位表面１２ａは、水晶体本体と同様、近位表面１２ｂよりも強度に曲がる。本明細書で、用語「近位」とは角膜に面している水晶体の側であり、用語「遠位」とは、網膜に面している水晶体の側である。
【０００７】
水晶体インプラントは、８．４〜１３．８ｍｍの間の曲率半径を有する凸状近位表面、４．６〜７．５ｍｍの間の曲率半径を有する凸状遠位表面および２．８〜５．５ｍｍの間の厚さを有するとき、天然の水晶体本体と同一の大きさおよび形状を有する。成人の眼について典型的赤道（typical equator）は、約９乃至１１ｍｍに達する。典型的近位および遠位曲率半径は、それぞれ１０ｍｍおよび６ｍｍである。
【０００８】
水晶体インプラント、すなわち特にその第１の部分は、良好な適応能力を有する水晶体本体の光学的および弾性的性質に類似する性質を所有している。水晶体本体は、通常水晶体嚢２によってきっちりと内包され、天然の水晶体本体と全く同様に嚢内圧（intrakapsulaeren Druck）を生ずる。ミュラー筋６が収縮すると、水晶体インプラントの表面の曲率および、したがってその焦点幅が変化する。それ故、水晶体インプラントは、眼に対して自然な適応能を付与する。この目的のため、第１の部分１０の容積は、第２の部分の容積よりも大きくなければならない。好適には、軸に垂直な総直径は、第２の部分においてよりも第１の部分において大きくあるべきである。
【０００９】
水晶体インプラントの前記２個の部分１０、１１は、好適には、互いに異なる屈折率を有する。水晶体製造時において、第１の近位部分１０は、交換される水晶体本体３の大きさと形状に適合するように調製され、一方、第２の遠位部分１１は、予め加工された、弾性のある形状体である。
水晶体製造時において、前記２個の部分１０、１１は、異なる目的を果たす。近位部分１０は水晶体の容積を規定する。遠位部分１１は後方の水晶体部分に対して安定性を付与し、それぞれの眼に対して個別の焦点距離調節を可能にする。この目的のため、流動可能な充填材料および複数の予め加工した水晶体部分を含む水晶体製造のためのキットは、当業者に入手可能である。これらの水晶体部分は、屈折率および／または形状において、互いに異なっている。
【００１０】
水晶体インプラントは、流動性の充填材料および水晶体部分の１つを一体にすることによって製造され、当該充填材料は、所望の硬さに硬化される。これは、眼の外側または眼球内で行うことができる。これに関して、水晶体本体の焦点距離と形状を決めるため、さらに、眼の性質からそれぞれ水晶体インプラントの所望の屈折率を決定するため、視力を最初に測定する。このことから、利用可能な水晶体部分１１のうちいずれを使用すべきかを計算でき、それによって水晶体インプラントは可能な限り所望の焦点距離に近づけるよう模造できる。
【００１１】
好適な製造方法において、前記水晶体インプラントは、眼球内で製造される。これに関して、第１段階において小さい開孔を水晶体嚢２に開け、水晶体本体３を除去する。このことは、好適には、超音波技術、レーザー技術、薬剤懸濁化法（Fakoemulsifikation）またはレーザー薬剤懸濁化法（Laserfakoemulsifikation）によって行われる。対応する方法は、当業者に知られている。
【００１２】
その後、水晶体の遠位部分１１をこのように穴をあけられた水晶体嚢に挿入する。当該水晶体部分１１をこのような小さな開孔を介して挿入できるようにするために、当該部分は巻き上げたり、あるいは折りたたんで注入機器によって挿入できるように、弾性的で変形可能である。この種の機器は、たとえば、米国特許５，６２０，４５０号に開示されている。
挿入された遠位部分は伸長し、水晶体嚢内で所望の位置にほぼ到達する。弛緩状態において、この遠位部分は図２および３に開示したような凹−凸に屈曲している。これは水晶体インプラントの遠位側を形成し、その凸表面１２ａの形状は、交換される水晶体本体の遠位表面のそれに対応する。光学的および機械的性質のうちで何が必要かということに応じて、遠位部分１１は両凸性であることができ、すなわち、その近位表面を前または後ろに折り曲げることができる、または平面状とすることもできる。
【００１３】
遠位水晶体部分を配置した後、近位水晶体部分１０を流動状態の充填材料として注入機器１３を介して水晶体嚢１２中に注入され、水晶体嚢２に、無限（Ferne）に適応させた状態において、充填される。この段階において、水晶体インプラントの容積が先に除去された水晶体本体のそれと実質的に対応するような量の充填材料が注入される。
【００１４】
水晶体嚢をその後閉じ、近位水晶体部分１０は所望の硬さになるまで硬化させるが、それは、たとえば、化学的に、電気的にまたは光学的に引き起こされた架橋によって達成できる。適切な充填材料および技術は、たとえば、米国特許４，６０８，０５０号またはＷＯ  ８９／０００２９号により当業者に公知である。
【００１５】
架橋させたポリシロキサン、ヒドロゲルまたはコラーゲン調製物は、たとえば充填材料として使用できる。好適には、水晶体本体と類似の硬さを有していることから、ゲルが使用される。
【００１６】
予め加工した水晶体部分１１を水晶体の遠位側に配置することは、当該水晶体部分が水晶体に対し比較的安定な後壁を形成するという利点を有している。もしもインプラント後に水晶体嚢２の遠位領域に曇りが生じたら、レーザー光線を用いて水晶体嚢２をこの領域で除去できる。水晶体部分１１は、また、水晶体嚢２がなくても、まだ流動性で生理的に適合性が低い第１の水晶体部分１０を眼の硝子体および眼の内部の他の全ての構造物から保護する。レーザーによる後方の水晶体嚢の開孔は均一というわけではないので、当該嚢に圧力がかかっているため、第１の水晶体部分の軟かい材料は後部で漏れ出すであろう。これは、当該水晶体の光学機能を破壊するであろう。水晶体部分１１は、このような漏出を防ぐ。
【００１７】
しかし、特により安定で、生理的に良好な適合性のある材料が第１の水晶体部分１０に用いられるならば、第２の水晶体部分１１を、たとえば水晶体インプラントの中心または近位部分に配置することができる。
【００１８】
本発明の第２の態様は、図４に示されている。ここで、遠位部分は透明な充填材料１１ｂによって充たされたバッグ１１ａから構成されている。この構造は、水晶体嚢に大きな穴をあけることなく、実質的に大きな遠位部分１１ａ、１１ｂを製造できる利点を有している。水晶体本体３を除去後、バッグ１１ａを最初に空で巻き上げた状態で水晶体嚢に挿入する。その後、注射針を同じ開口部から挿入する。この針を用いて、充填材料１１ｂをバッグ１１ａに供給する。最後に、近位部分１０を充填する。
【００１９】
バッグ１１ａは、それが充填された状態で所望の形状を得るように、切断され、かつ予め成形される。上記キットにおいて、予め成形された水晶体部分の少なくとも一部、特に大きい部分をバッグ１１ａとして提供することができる。
【００２０】
本発明の主題は、水晶体インプラントおよびこのような水晶体インプラントを製造するためのキットである。しかし、本発明はまた、水晶体の第１の部分１０のための充填材料を流動状態で導入し、かつ適切な水晶体部分１１を固体状態で水晶体嚢２に導入する、上述の眼球内での製造方法にも関する。好適には、第１の水晶体部分の堅さはその後、硬化によって増大させる。この間、嚢は無限に適応させるべきである。
【００２１】
本出願において好適な本発明の態様を記載しているが、本発明はそれらに限定されず、特許請求の範囲内で他にも態様があることを明確に理解されたい。
【図面の簡単な説明】
【図１】  正常な眼の断面である。
【図２】  水晶体インプラントを有する眼の断面である。
【図３】  水晶体インプラントの可能な製造方法を示す。
【図４】  水晶体インプラントの別の態様を有する眼の断面である。
【図１】
0004261801.tif 000002
【図２】
0004261801.tif 000003
【図３】
0004261801.tif 000004
【図４】
0004261801.tif 000005